(57)【要約】【課題】ディスプレイ装置を複数個並べ、見かけ上大型の連続した映像を簡易に表示する際に、表示部に目地の無い、かつ高品位の映像が得られるディスプレイ装置等を提供すること。【解決手段】ディスプレイ装置は、隣接するモニタ間の目地部分を埋めるように入力データの一部分を縮小し、縮小した部分のデータのみ拡大手段により拡大して出力データとし、かつ、入力データのうち縮小しなかった部分はそのまま出力データとし、それらの出力データを表示する。【選択図】図１
2010072522.tif 000002
【特許請求の範囲】
【請求項１】
隣接するモニタ間の目地部分を埋めるように入力データの一部分を縮小し、該縮小した部分のデータのみ拡大手段により拡大して出力データとし、かつ、前記入力データのうち縮小しなかった部分はそのまま出力データとし、それらの出力データを表示することを特徴とするディスプレイ装置。
【請求項２】
前記入力データのうち縮小する部分は、前記拡大手段の属性に基づいて決定されることを特徴とする請求項１記載のディスプレイ装置。
【請求項３】
前記隣接するモニタの入力データを表示できない部分の長さの半分を埋める部分に相当する前記入力データを縮小することを特徴とする請求項１または２記載のディスプレイ装置。
【請求項４】
前記拡大手段は拡大レンズであることを特徴とする請求項１から３のいずれか１項に記載のディスプレイ装置。
【請求項５】
隣接するモニタ間の目地部分を埋めるように入力データの一部分を縮小するステップと、
前記縮小した部分のデータのみ拡大手段により拡大して出力データとし、かつ、前記入力データのうち縮小しなかった部分はそのまま出力データとするステップと、
それらの出力データを表示するステップとを有することを特徴とするデータ表示方法。
【請求項６】
前記入力データのうち縮小する部分は、前記拡大手段の属性に基づいて決定されることを特徴とする請求項５記載のデータ表示方法。
【請求項７】
前記隣接するモニタの入力データを表示できない部分の長さの半分を埋める部分に相当する前記入力データを縮小することを特徴とする請求項５または６記載のデータ表示方法。
【請求項８】
前記拡大手段は拡大レンズであることを特徴とする請求項５から７のいずれか１項に記載のデータ表示方法。
【発明の詳細な説明】
【技術分野】
【０００１】
本発明は、ディスプレイ装置を複数個用いて、目地の無い、連続した映像データ等を表示する技術に関する。
【背景技術】
【０００２】
パーソナル・コンピュータ等の情報処理装置は、マルチモニタ等のマルチディスプレイで利用する場合が多くなってきている。
【０００３】
複数のモニタを並列に結合してマルチモニタとして映像データ等を受像して表示する場合には、各モニタのいわゆる目地部分が映像等の切れ目となってしまうので、なめらかに繋ぐことが必要となる。
【０００４】
そこで、映像の前面にフレネルレンズを置き、映像全体を拡大することで解決する技術があった。すなわち、図４を参照すると、表示する映像のうち左部分については、「Ａ」および「Ｂ」の部分を、「Ａ´」および「Ｂ´」の部分に縮小し、フレネルレンズで縮小された「Ａ´」および「Ｂ´」全体を拡大していた。また、表示する映像のうち右部分についても同様の処理がなされていた。
【０００５】
また、関連技術として、液晶ディスプレイの構造上、サイズの大きさに正比例でなく指数級数的に不良率が上昇することに対応するため、小型のディスプレイを並列に配置し、見かけ上大型のディスプレイを実現する技術が提案されている（例えば、特許文献１参照）。その構成は、特許文献１の図３（ｃ）に示されるように、透明平板を傾斜させて配置することで額縁部分を見かけ上無くし、合成画面を作成するものである。
【特許文献１】特開平１０−１０４５９３号公報
【発明の開示】
【発明が解決しようとする課題】
【０００６】
しかしながら、上述の関連技術は、映像全体を一律に拡大しているため、映像全体にわたって拡大による画質劣化があった。すなわち、図５を参照すると、表示する映像のうち左部分については、「Ａ」および「Ｂ」の部分を一律に縮小してその後に拡大していた。
【０００７】
本発明は、以上のような課題を解決するためになされたもので、ディスプレイ装置を複数個並べ、見かけ上大型の連続した映像を簡易に表示する際に、表示部に目地の無い、かつ高品位の映像が得られるディスプレイ装置およびデータ表示方法を提供することを目的とする。
【課題を解決するための手段】
【０００８】
本発明のディスプレイ装置は、隣接するモニタ間の目地部分を埋めるように入力データの一部分を縮小し、該縮小した部分のデータのみ拡大手段により拡大して出力データとし、かつ、前記入力データのうち縮小しなかった部分はそのまま出力データとし、それらの出力データを表示することを特徴とする。
【０００９】
また、本発明のデータ表示方法は、隣接するモニタ間の目地部分を埋めるように入力データの一部分を縮小するステップと、
前記縮小した部分のデータのみ拡大手段により拡大して出力データとし、かつ、前記入力データのうち縮小しなかった部分はそのまま出力データとするステップと、
それらの出力データを表示するステップとを有することを特徴とする。
【発明の効果】
【００１０】
本発明によれば、ディスプレイ装置を複数個並べ、見かけ上大型の連続した映像を簡易に表示する際に、表示部に目地の無い、かつ高品位の映像が得ることができる。
【発明を実施するための最良の形態】
【００１１】
以下、本発明の実施の形態について図面を参照して詳細に説明する。図１は、本実施の形態に係るディスプレイ装置の概念図である。
【００１２】
図１を参照すると、表示する映像のうち左部分については、「Ａ」および「Ｂ」に区分する。「Ａ」の部分は、縮小処理やレンズ等による拡大処理がなされない。したがって、縮小・拡大に伴う画像劣化は生じえなく、当該部分に関しては高品位の映像を確保することができる。一方、「Ｂ」の部分は、隣接するモニタ間の目地部分を考慮して画像処理による縮小処理がなされ「Ｂ´」の部分に縮小され、その後「Ｂ´」の部分はレンズ等による拡大処理がなされ、表示される。
【００１３】
さらに図１を参照すると、表示する映像のうち右部分については、左部分と同様に、「Ｄ」および「Ｃ」に区分する。「Ｄ」の部分は、縮小処理やレンズ等による拡大処理がなされない。したがって、縮小・拡大に伴う画像劣化は生じえなく、当該部分に関しては高品位の映像を確保することができる。一方、「Ｃ」の部分は、目地部分を考慮して画像処理による縮小処理がなされ「Ｃ´」の部分に縮小され、その後「Ｃ´」の部分はレンズ等による拡大処理がなされ、表示される。
【００１４】
結局、表示する映像は目地部分は埋められ、連続した映像となる。
【００１５】
次に、本実施の形態に係るディスプレイ装置の構成を図２を用いて説明する。
図２は、本実施の形態に係るディスプレイ装置を上部から見た構成図である。
【００１６】
ＬＣＤ（Liquid Crystal Display：液晶ディスプレイ）パネル１は、入力画像を空間４を介してそのまま表示する部分である。
ＬＣＤ（Liquid Crystal Display：液晶ディスプレイ）パネル２は、入力画像を縮小して表示する部分である。
拡大レンズ３は、縮小処理された映像データを拡大する機能を有している。凹レンズなどで実現されてよい。なお、映像データの拡大される倍率等は当該レンズの精度・性能に依存する。
アクリル板５は、入力画像を空間４を介してそのまま表示する部分である。
アクリル板６は、入力画像のうち縮小された部分が拡大されて表示される部分である。
ＬＣＤパネルの枠７は、いわゆる目地に相当する。
【００１７】
図３は、本実施の形態に係るディスプレイ装置の機能ブロック図である。図３に示す本実施の形態におけるディスプレイ装置１０は、ＣＰＵ等による制御がなされる情報処理装置であり、入力部１１と、データ区分部１２と、記憶部１３と、縮小部１４と、拡大部１５と、出力部１６とから構成されている。
【００１８】
入力部１１は、表示映像を受け付ける機能を有している。
データ区分部１２は、映像データ等のうち縮小部１４により縮小する部分と縮小しない部分とに区分する機能を有している。その際、記憶部１３に保存されている拡大部１５としての拡大レンズ等の性能に関する情報および目地部分のサイズに関する情報を参照して区分を決定することであってもよい。
縮小部１４は、目地部分にかかってしまう映像部分を目地部分にかからないよう縮小表示するようなサイズに縮小する機能を有している。例えば、目地部分のサイズの二倍に相当するサイズの映像を二分の一に縮小する等である。
拡大部１５は、縮小部１４により縮小された映像データ等を拡大する機能を有しており、例えば、拡大レンズ等のハードウェア構造により実現されてよい。例えば、目地部分のサイズの二倍に相当するサイズの映像であって、二分の一に縮小されたものを、二倍に拡大する等である。
出力部１６は、目地部分は埋められ、連続した映像とされた表示映像を出力する機能を有している。
【００１９】
以下に、図４のフローチャートを参照して本実施の形態の処理動作を詳細に説明する。
まず、ディスプレイ装置１０の入力部１１は、表示映像にかかるデータを受け付ける（Ｓ４０１）。例えば、図１においては「Ａ」、「Ｂ」、「Ｃ」、「Ｄ」に相当する部分である。
【００２０】
そして、データ区分部１２は、映像データ等のうち縮小部１４により縮小する部分と縮小しない部分とに区分する（Ｓ４０２）。その際、記憶部１３に保存されている拡大部１５としての拡大レンズ等の性能に関する情報および目地部分のサイズに関する情報を参照して区分を決定することであってもよい。例えば、図１においては、「Ｂ」、「Ｃ」が縮小する部分、「Ａ」、「Ｄ」が縮小しない部分として区分される。
【００２１】
次に、縮小部１４は、目地部分にかかってしまう映像部分を目地部分にかからないよう縮小表示するようなサイズに縮小する（Ｓ４０３）。例えば、目地部分のサイズの二倍に相当するサイズの映像を二分の一に縮小する。図１においては、「Ｂ」、「Ｃ」がそれぞれ「Ｂ´」、「Ｃ´」に縮小される。
【００２２】
次に、拡大部１５は、縮小部１４により縮小された映像データ等を拡大レンズで拡大する（Ｓ４０４）。例えば、図１においては、目地部分のサイズの二倍に相当するサイズの映像であって、二分の一に縮小された「Ｂ´」、「Ｃ´」を、二倍に拡大する。
【００２３】
出力部１６は、上記のステップＳ４０４で拡大された映像データ等を連続した映像として表示映像を出力する（Ｓ４０５）。これにより、複数のディスプレイを用いたことによる目地部分は埋められ、見かけ上一つの大型のディスプレイを実現することができる。
【００２４】
上記の本実施の形態によれば、マルチモニタを手軽に実現できる。すなわち、ユーザの実際の利用場面での手軽な機能向上策として利用価値が高い。
また、目地に関係ない大部分の映像は、拡大処理されないため、高品位の画質で表示できる。また、拡大部１５に用いられる拡大レンズのサイズを小型化することができるのでコストの低減が図れる。
【００２５】
なお、上述する実施の形態は、本発明の好適な実施の形態であり、本発明の要旨を逸脱しない範囲内において種々変更実施が可能である。例えば、ディスプレイ装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図面の簡単な説明】
【００２６】
【図１】本発明の実施の形態に係るディスプレイ装置の概念図である。
【図２】本発明の実施の形態に係るディスプレイ装置を上部から見た構成図である。
【図３】本発明の実施の形態に係るディスプレイ装置の機能ブロック図である。
【図４】本発明の実施の形態に係る処理動作を示すフローチャートである。
【図５】関連するディスプレイ装置の概念図である。
【符号の説明】
【００２７】
１、２    ＬＣＤパネル
３    拡大レンズ
４    空間
５、６    アクリル板
７    ＬＣＤパネルの枠
【図１】
2010072522.tif 000003
【図２】
2010072522.tif 000004
【図３】
2010072522.tif 000005
【図４】
2010072522.tif 000006
【図５】
2010072522.tif 000007